(57)【要約】      （修正有）【課題】スクリューポイントを効率よく製造でき、コストの低減化が図れるスクリューポイント製造用鍛造金型を提供する。【解決手段】本スクリューポイント製造用金型は、四角錐体を捩じったような４条のスクリューからなるスクリューポイント１０を製造するスクリューポイント製造用鍛造金型であって、パーティングライン２０が、形成すべきスクリューポイント１０の平面視における外形線に対応する、不連続に現れる各条の山部の稜線に当たる山部ライン２２と、各条の谷部における該谷部を横切る谷部ライン２４とが順次交互に連続して、上下方向にジグザグ状をなすパーティングライン２０に設定された上型と下型とを有することを特徴とする。【選択図】図２
0003168261.tif 000002
【実用新案登録請求の範囲】
【請求項１】
四角錐体を捩じったような４条のスクリューからなるスクリューポイントを製造するスクリューポイント製造用鍛造金型であって、
パーティングラインが、形成すべきスクリューポイントの平面視における外形線に対応する、不連続に現れる各条の山部の稜線に当たる山部ラインと、各条の谷部における該谷部を横切る谷部ラインとが順次交互に連続して、上下方向にジグザグ状をなすパーティングラインに設定された上型と下型とを有することを特徴とするスクリューポイント製造用鍛造金型。
【請求項２】
前記上型と下型とが、前記パーティングラインに沿う、上下方向に凸凹したパーティング面を有することを特徴とする請求項１記載のスクリューポイント製造用鍛造金型。
【考案の詳細な説明】
【技術分野】
【０００１】
本考案はスクリューポイント製造用鍛造金型に関する。
【背景技術】
【０００２】
土質や地耐力を調査するために、いわゆるスウェーデン式サウンディング試験（ＪＩＳ  Ａ  １２２１）が一般に広く行われている。
スウェーデン式サウンディング試験は、ロッドの先端にスクリューポイントを取り付け、ロッドに荷重と回転を掛けつつ、スクリューポイントを地中に貫入させ、所要貫入位置での荷重やロッドの回転数等から土地の地層構造を判定するものである。
スクリューポイントは、長さ２０ｃｍのほぼ四角錐をなす棒状体を１回転捩ったような４条のスクリュー形状をなしており、その具体的な形状、寸法はＪＩＳ規格に定められている。
従来、一般的には、スクリューポイントは丸棒を切削することによって製造されている（特許文献１）。
【先行技術文献】
【特許文献】
【０００３】
【特許文献１】特開２００６−２６３８６８号公報
【考案の概要】
【考案が解決しようとする課題】
【０００４】
上記のように、スクリューポイントは荷重や回転を加えられながら地中に貫入されるものであるため、貫入時に土砂や礫などとの接触により摩耗する。そのため、頻繁に交換する必要があり、費用面から、より低廉なものが求められている。
しかしながら、上記のように、スクリューポイントを切削により製造すると、複雑な形状をしていることから、効率よく製造できず、コストがかかり、低廉に提供できないという課題がある。また、スクリューポイントを鋳造により製造することも考えられるが、鋳造の場合には製品に巣が入り易く、必要な強度が得られないという課題がある。
【０００５】
本考案は上記課題を解決すべくなされたものであり、その目的とするところは、スクリューポイントを効率よく製造でき、コストの低減化が図れるスクリューポイント製造用鍛造金型を提供するにある。
【課題を解決するための手段】
【０００６】
上記の目的を達成するため、本考案は次の構成を備える。
すなわち、本考案に係るスクリューポイント製造用金型は、四角錐体を捩じったような４条のスクリューからなるスクリューポイントを製造するスクリューポイント製造用鍛造金型であって、パーティングラインが、形成すべきスクリューポイントの平面視における外形線に対応する、不連続に現れる各条の山部の稜線に当たる山部ラインと、各条の谷部における該谷部を横切る谷部ラインとが順次交互に連続して、上下方向にジグザグ状をなすパーティングラインに設定された上型と下型とを有することを特徴とする。
【０００７】
また、前記上型と下型とが、前記パーティングラインに沿う、上下方向に凸凹したパーティング面を有し、鍛造工程において該パーティング面間に材料をバリとして流出させることを特徴とする。
【考案の効果】
【０００８】
本考案によれば、パーティングラインを所要の凸凹状のパーティングラインに設定することによって、２つの割型とすることができ、平面視アンダーカットとなる部位を有する複雑な形状のスクリューポイントを鍛造で、容易に生産、かつ量産することができ、コストの低減化が図れるスクリューポイント製造用鍛造金型を提供できる。
【図面の簡単な説明】
【０００９】
【図１】スクリューポイントの平面図である。
【図２】鍛造した際のバリ跡を示す説明図である。
【図３】上型と下型の凸凹のパーティングラインを示す説明図である。
【図４】下型の説明平面図である。
【考案を実施するための形態】
【００１０】
以下本考案の実施の形態を添付図面に基づき詳細に説明する。
図１はスクリューポイント１０の平面図である。
スクリューポイント１０は四角錐体を捩じったような４条のスクリューからなり、スクリュー部１２と、所定のロッド（図示せず）への取り付け部たる雄ネジ部１４を有する。
本実施の形態では、図３に示すように、上下に型割した上型１６と下型１８とを有し、熱間鍛造してスクリューポイント１０を製造できるスクリューポイント製造用鍛造金型を提供する。
【００１１】
上記のように、スクリューポイント１０は、四角錐体を捩じったような４条のスクリュー形状をなすことから、平面視、アンダーカット部分が生じ、単純な平坦なパーティングラインの割型では製造できない。
４条のスクリュー状をなすことから、４方向からの４つの割型を用いれば、平坦なパーティングラインの割型とすることができるが、鍛造の際には、４方向から打ちつけることとなり、製造が事実上不可能であろう。また、金型コストも高騰する。
【００１２】
そこで、本実施の形態では、上型１６と下型１８のパーティングラインを以下のように設定することで、２つの割型のみでスクリューポイント１０を鍛造によって製造することを可能にした。
図２は、鍛造品に残るバリ跡を示す説明図であり、このバリ跡からパーティングラインが理解される。
【００１３】
すなわち、本実施の形態では、パーティングライン２０が、形成すべきスクリューポイント１０の平面視における外形線（図１に示す輪郭線）に対応する、不連続に現れる各条の山部の稜線に当たる山部ライン２２と、各条の谷部における該谷部を横切る谷部ライン２４とが順次交互に連続して、上下方向にジグザグ状をなすパーティングライン２０に設定された上型１６と下型１８とを用いる。
なお、雄ネジ部１４のネジ切りは鍛造加工後に行うので、鍛造の際は、雄ネジ部１４に対応する部位は単なる棒状体に形成するので、この部位におけるパーティングライン（棒状体ライン）２６は平坦なラインとなる。
【００１４】
図３は、金型の正面図であり、パーティングラインが上下方向にジグザグ状をなすことが理解されよう、なお、図３において、２２ａ、２４ａ、２６ａは金型の手前側の縁におけるパーティングライン２０ａであり、２２ｂ、２４ｂ、２６ｂは金型の奥側の縁におけるパーティングライン２０ｂである。この両パーティングライン２０ａ、２０ｂの間は、スクリュー部１２、および雄ネジ部１４を形成するための棒状部に対応する所要内面形状をなす凹部２８（図４）に形成されていることは言うまでもない。
【００１５】
図４は下型１８の平面図である。図４に示されるように、凹部２８の両側には、パーティングライン２０に沿う、上下方向に凸凹したパーティング面３０が形成されている。上型１６にも、下型１８のパーティング面３０に対して逆向きの凸凹したパーティング面（図示せず）が形成されている。
下型１８のパーティング面３０と上型１６のパーティング面との間は、完全型閉じした際に、所要の厚さの空間が形成されるように設定され、鍛造の際、材料の余分な肉がバリとして上記空間内に流出するようになっている。このようにすることで、鍛造の際、材料が下型１８および上型１６の両凹部３０内に十分に行き渡り、正確な形状のスクリューポイント１０の製造が可能となる。
【００１６】
下型１８および上型１６を有するスクリューポイント製造用鍛造金型は上記のように形成されている。
このスクリューポイント製造用鍛造金型を用いてスクリューポイントを鍛造によって製造するには次のようにする。
すなわち、下型１８と上型１６とを鍛造機（図示せず）にセットし、常法により、下型１８と上型１６との間に、加熱された丸棒状の材料を配置し、鍛造機により型打ちすることによって、パーティングラインに沿ってバリの発生した、スクリューポイント１０の素製品を得ることができる。
なお、下型１８と上型１６を用いた型打ちは、荒打ちと仕上げ打ちの２回行うことによって、素製品を得ることができた。あるいは、必要に応じて、専用のつぶし用の金型、荒打ち用金型、仕上げ用金型を用意し、複数段の型打ちによって素製品を形成してもよい。
【００１７】
次に、バリ取りを行う。
バリ取りは専用のダイスとポンチを用意する（図示せず）。
ダイスとポンチも、下型１８と上型１６のパーティングラインに沿う凸凹面であって、かつ、スクリューポイント１０の外形線よりは若干大きなダイス口と、押面とをそれぞれ有するダイスおよびポンチに形成する。このダイスとポンチを用いて、素製品の抜き加工を行う。これによって、パーティングラインに沿って若干バリの残ったトリミング品を得ることができる。
このトリミング品に残ったバリは、砥石を用いて研削する仕上げ加工を行って除去する。
【００１８】
また、雄ネジ部に対応する棒状部にネジ切り加工を行って雄ネジ部１４を形成する。
そして必要に応じて、焼き入れ加工および焼き戻し加工を行ってスクリューポイント１０に完成する。
さらには、ニッケルめっき等の仕上げめっき皮膜を形成して完成品としてもよい。
【００１９】
本実施の形態によれば、パーティングラインを所要の凸凹状のパーティングラインに設定することによって、２つの割型とすることができ、平面視アンダーカットとなる部位を有する複雑な形状のスクリューポイントを鍛造で、容易、かつ量産することができ、コストの低減化が図れる。
また、鍛造によって形成するので、品質に優れたスクリューポイントを提供できる。
【符号の説明】
【００２０】
１０  スクリューポイント
１２  スクリュー部
１４  雄ネジ部
１６  上型
１８  下型
２０  パーティングライン
２２  山部ライン
２４  谷部ライン
２６  棒状体ライン
２８  パーティング面
３０  凹部
【図１】
0003168261.tif 000003
【図２】
0003168261.tif 000004
【図３】
0003168261.tif 000005
【図４】
0003168261.tif 000006